(57)【要約】【課題】カメラモジュールの動作試験を効率良く行う。【解決手段】カメラモジュール１は、通常の撮像動作時に使用される画像Ｉ／Ｆ回路１４とは別に、内部データを取得するためのメモリカードＩ／Ｆ回路１９を備える。カメラモジュール１が調整モードである場合には、メモリカードＩ／Ｆ回路１９を用いて画像データを出力し、メモリカードに画像データを記録する。調整モードでない場合には、製品用の画像Ｉ／Ｆ回路１４を用いて画像データを制御部２０に出力する。【選択図】図１
2005347921.tif 000002
【特許請求の範囲】
【請求項１】
撮像手段及び当該撮像手段で取得された画像データを処理する画像処理手段を含む構成要素で構成されたカメラモジュールにおいて、
前記画像処理手段に接続され、内部データを取得するためのインターフェイスを備えたことを特徴とするカメラモジュール。
【請求項２】
請求項１に記載のカメラモジュールにおいて、
前記インターフェイスはメモリカードインターフェイスであることを特徴とするカメラモジュール。
【発明の詳細な説明】
【技術分野】
【０００１】
本発明は、携帯用情報機器に搭載されるカメラモジュールに関する。
【背景技術】
【０００２】
近年、デジタルカメラ等の撮像装置は、高機能化、低価格化が進み、急速に普及しつつある（例えば、特許文献１参照。）。デジタルカメラの小型化、軽量化に伴い、他の電子機器との機能の複合化が進み、例えば、携帯電話機やＰＨＳ（Personal Handyphone System）、ＰＤＡ（Personal Digital Assistant）等の携帯用情報機器にデジタルカメラを内蔵した機器が実用化されている。
【０００３】
また、電子機器の機能の充実と高度化に伴い、少なくとも２つの制御部を備え、一方をメイン制御部、他方をサブ制御部として、制御機能を分ける技術が提案されている。例えば、上記のようなカメラ付き携帯用情報機器において、撮像動作の制御を行うカメラ用制御部と、携帯用情報機器全体の制御を行う本体側の制御部と、を備えることにより、制御の効率化を図っている。
【０００４】
このカメラ用制御部及び撮像動作に必要な構成要素を含むカメラモジュールを、携帯用情報機器本体と独立して製造することにより、各種の携帯用情報機器に対応可能な汎用性のあるカメラモジュールを提供することができる。
【特許文献１】特開２００３−２７４３６５号公報
【発明の開示】
【発明が解決しようとする課題】
【０００５】
しかし、カメラモジュール単体の生産時や修理時等、カメラモジュール単体で動作試験を行う場合にも、カメラモジュールを搭載する携帯用情報機器本体と同様の装置を用意しなければならなかった。
【０００６】
本発明は上記の従来技術における問題に鑑みてなされたものであって、カメラモジュールの動作試験を効率良く行うことを課題とする。
【課題を解決するための手段】
【０００７】
請求項１に記載の発明は、撮像手段及び当該撮像手段で取得された画像データを処理する画像処理手段を含む構成要素で構成されたカメラモジュールにおいて、前記画像処理手段に接続され、内部データを取得するためのインターフェイスを備えたことを特徴とする。
【０００８】
ここで、内部データは、画像処理手段により処理された処理後の画像データでもよいし、処理前の画像データでもよい。
【０００９】
請求項２に記載の発明は、請求項１に記載のカメラモジュールにおいて、前記インターフェイスはメモリカードインターフェイスであることを特徴とする。
【発明の効果】
【００１０】
請求項１に記載の発明によれば、内部データを取得するためのインターフェイスを備えるので、カメラモジュールの動作試験時にカメラモジュールが搭載される携帯用情報機器本体と同様の装置が必要なく、カメラモジュールの動作試験を効率良く行うことができる。
【００１１】
請求項２に記載の発明によれば、メモリカードインターフェイスを備えるので、メモリカードにカメラモジュールの内部データを記録することができる。
【発明を実施するための最良の形態】
【００１２】
以下、本発明の実施の形態におけるカメラモジュール１について、図面を参照して説明する。ただし、発明の範囲は図示例に限定されない。カメラモジュール１は、携帯用情報機器に搭載されることにより、カメラ付き携帯用情報機器を構成する。
【００１３】
図１に、カメラモジュール１の機能的構成を示す。
図１に示すように、カメラモジュール１は、Ｍ−ＣＰＵ（Micro-Central Processing Unit）２、ズームレンズ３、フォーカスレンズ４、絞り（アイリス）５、シャッタ６、ドライバ７，８，９，１０、センサ１１、ＡＦＥ（Analog Front End）１２、ＤＳＰ（Digital Signal Processor）１３、画像Ｉ／Ｆ回路１４、ストロボ１５、ドライバ１６、ＤＣ／ＤＣ回路１７、フラッシュＲＯＭ１８、メモリカードＩ／Ｆ回路１９を備える。
【００１４】
Ｍ−ＣＰＵ２は、制御線Ｌを介して制御部２０と接続されている。Ｍ−ＣＰＵ２は、制御部２０からの制御により、フラッシュＲＯＭ１８に記憶されている各種制御プログラムに従って、カメラモジュール１全体の動作を制御する。制御線Ｌとして、ＵＡＲＴ（Universal Asynchronous Receiver Transmitter）やＩＩＣ（Inter-Integrated Circuit）等が用いられる。
【００１５】
ズームレンズ３は、センサ１１に結像される被写体の大きさ（画角）を変更する光学レンズであり、フォーカスレンズ４は、センサ１１に結像される被写体のピントを調整する光学レンズである。絞り５は、ズームレンズ３及びフォーカスレンズ４の開口部の大きさを調整し、センサ１１上に露光される被写体の光量を調整する。シャッタ６は、センサ１１上に露光される被写体の光量を、機械的に開放／遮断することにより調整する。ドライバ７，８，９，１０は、それぞれ、ズームレンズ３、フォーカスレンズ４、絞り５、シャッタ６を、ステップモータ等のアクチュエータを介して駆動する。
【００１６】
センサ１１は、結像された光画像を電気信号（光量に応じた電荷量）に光電変換し、ＡＦＥ１２に出力する。センサ１１として、ＣＣＤ（Charge Coupled Device）センサ、ＣＭＯＳ（Complementary Metal Oxide Semiconductor）センサ等が用いられる。
【００１７】
ＡＦＥ１２は、センサ駆動回路、センサ出力のノイズを軽減させるＣＤＳ（Correlated Double Sampling：相関二重サンプリング）回路、信号の増幅を行うＡＧＣ（Automatic Gain Control：自動利得制御）回路、Ａ／Ｄ変換回路等から構成され、ＤＳＰ１３へデジタル画像データを出力する。
【００１８】
ＤＳＰ１３は、入力されたデジタル画像データに対し、輝度処理や色処理を施し、デジタルビデオ信号（例えば、輝度信号と色差信号）に変換する。ここで、デジタルビデオ信号とは、画像を表現する信号全般をいい、ビデオフォーマットに制限されたものではない。
【００１９】
画像Ｉ／Ｆ回路１４は、カメラモジュール１が携帯用情報機器に搭載されている場合、すなわち、制御部２０として携帯用情報機器の本体制御部が接続されている場合に、制御部２０に画像データ（デジタルビデオ信号）を出力するインターフェイス回路である。ここで、画像データは、転送フォーマットに準じた形式に変換される。
【００２０】
ストロボ１５は、被写体の光量が不足した場合等に、ドライバ１６により駆動され、発光する。
【００２１】
ＤＣ／ＤＣ回路１７は、カメラモジュール１の全回路で必要な電力の生成、又は電力供給の制御を行う電源回路である。
【００２２】
フラッシュＲＯＭ１８は、電気的に消去及び書き換えが可能な不揮発性メモリであり、Ｍ−ＣＰＵ２により実行される各種制御プログラム、調整モードであるか否かを示すカードＩ／Ｆフラグ等を記憶している。調整モードとは、カメラモジュール１の生産時や修理時等、カメラモジュール１が制御部２０として動作試験機に接続されている状態で、カメラモジュール１の調整を行う際のモードをいう。また、調整モードでない場合は、製品モードであり、カメラモジュール１が携帯用情報機器に搭載されている状態で、通常の撮影動作を行う。
【００２３】
メモリカードＩ／Ｆ回路１９は、画像データ（デジタルビデオ信号）をメモリカード等の記憶媒体に記録するときに使用するインターフェイス回路である。メモリカードＩ／Ｆ回路１９は、カメラモジュール１の生産時や修理時等、カメラモジュール１が制御部２０として動作試験機に接続されている場合に、画像データを取得するために用いられる。ここで、画像データは、記憶媒体の記録フォーマットに準じた形式に変換される。なお、圧縮処理が必要な場合には、メモリカードＩ／Ｆ回路１９又はＤＳＰ１３で処理を行う。通常の製品（カメラモジュール１が携帯用情報機器に搭載されている場合）では、画像Ｉ／Ｆ回路１４を用いるため、メモリカードＩ／Ｆ回路１９は使用されない。
【００２４】
制御部２０は、Ｍ−ＣＰＵ２と制御線Ｌを介して接続されている。制御部２０は、カメラ付き携帯用情報機器の本体制御部、カメラモジュール１の生産時や修理時等に調整を行う際の動作試験機等に相当する。
【００２５】
次に、動作について説明する。
図２は、カメラモジュール１において実行される初期化処理を説明するフローチャートである。
まず、外部から電源が供給され、電源が起動される（ステップＳ１）。そして、Ｍ−ＣＰＵ２の初期化が実行され、その後、カメラモジュール１の各構成要素の初期化が実行される（ステップＳ２）。
【００２６】
次に、Ｍ−ＣＰＵ２により、現在の起動状態が調整モードであるか否かが判断される（ステップＳ３）。調整モードであるか否かの判断は、例えば、カメラモジュール１に予め調整モードであるか否かを示すスイッチを設け、利用者が操作することによって調整モードであるか否かを設定することとし、電源起動時に、予め定められた端子の電圧の状態がＨ（ハイ）かＬ（ロー）かにより判断することとしてもよい。また、電源起動時に、外部からデータを受信し、受信したデータに基づいて調整モードであるか否かを判断することとしてもよい。
【００２７】
調整モードであると判断された場合には（ステップＳ３；ＹＥＳ）、メモリカードＩ／Ｆ回路１９の初期化が実行され（ステップＳ４）、フラッシュＲＯＭ１８に記憶されているカードＩ／ＦフラグがＯＮにセットされる（ステップＳ５）。
【００２８】
調整モードではない、すなわち、製品モードであると判断された場合には（ステップＳ３；ＮＯ）、製品用の画像Ｉ／Ｆ回路１４の初期化が実行され（ステップＳ６）、フラッシュＲＯＭ１８に記憶されているカードＩ／ＦフラグがＯＦＦにセットされる（ステップＳ７）。
なお、初期化とは、ハードウェアに限らず、ソフトウェアの初期化も含む。
【００２９】
次に、図３を参照して、カメラモジュール１において実行される記録処理について説明する。記録処理は、カメラモジュール１において撮像動作が行われた場合に実行される処理であり、画像データの記録以外は、モードによらず、同様の処理が行われる。
【００３０】
図３に示すように、フラッシュＲＯＭ１８に記憶されているカードＩ／ＦフラグがＯＮであるかＯＦＦであるかが判断され、カードＩ／ＦフラグがＯＮである場合には（ステップＳ１１；ＯＮ）、メモリカードＩ／Ｆ回路１９を用いて画像データが出力され、メモリカードに画像データが記録される（ステップＳ１２）。メモリカードに記録された画像データを確認することにより、カメラモジュール１の調整を行うことが可能となる。
【００３１】
カードＩ／ＦフラグがＯＦＦである場合には（ステップＳ１１；ＯＦＦ）、製品用の画像Ｉ／Ｆ回路１４を用いて画像データが制御部２０に出力される（ステップＳ１３）。
【００３２】
なお、調整モードの場合に、メモリカードＩ／Ｆ回路１９と画像Ｉ／Ｆ回路１４の両方を用いることとしてもよい。
【００３３】
以上説明したように、カメラモジュール１によれば、通常の撮像動作時に使用される画像Ｉ／Ｆ回路１４とは別に、メモリカードＩ／Ｆ回路１９を備えるので、カメラモジュール１の動作試験時にカメラモジュール１が搭載される携帯用情報機器本体と同様の装置が必要なく、カメラモジュール１の動作試験を効率良く行うことができる。
【００３４】
本実施の形態においては、画像データを取得するためのインターフェイスとしてメモリカードＩ／Ｆ回路１９について説明したが、カメラモジュール１が画像データを表示させるためのモニタ出力用の端子を備えることとしてもよい。
【００３５】
なお、上記実施の形態における記述は、本発明に係る好適なカメラモジュールの例であり、これに限定されるものではない。カメラモジュールを構成する各部の細部構成及び細部動作に関しても本発明の趣旨を逸脱することのない範囲で適宜変更可能である。
【図面の簡単な説明】
【００３６】
【図１】本発明の実施の形態におけるカメラモジュール１の機能的構成を示すブロック図である。
【図２】カメラモジュール１において実行される初期化処理を説明するフローチャートである。
【図３】カメラモジュール１において実行される記録処理を説明するフローチャートである。
【符号の説明】
【００３７】
１  カメラモジュール
２  Ｍ−ＣＰＵ
３  ズームレンズ
４  フォーカスレンズ
５  絞り（アイリス）
６  シャッタ
７，８，９，１０  ドライバ
１１  センサ
１２  ＡＦＥ
１３  ＤＳＰ
１４  画像Ｉ／Ｆ回路
１５  ストロボ
１６  ドライバ
１７  ＤＣ／ＤＣ回路
１８  フラッシュＲＯＭ
１９  メモリカードＩ／Ｆ回路
２０  制御部
Ｌ  制御線
【図１】
2005347921.tif 000003
【図２】
2005347921.tif 000004
【図３】
2005347921.tif 000005